(57)【要約】【課題】高密度で荷物を保管し、かつ、メンテナンス性のよい自動倉庫の提供。【解決手段】保管棚１０１と、荷物２００を搬送する搬送装置１０２とを備え、搬送装置１０２は、保管棚１０１の内方に配置され、左右方向に延在する水平案内部材１２１と、保管棚１０１の内方に配置され、水平案内部材１２１を支持する支柱１２２と、水平案内部材１２１に沿って走行する台車１２３と、台車１２３と中間位置で接続される垂直案内部材１２４と、垂直案内部材１２４に案内される昇降台とを備え、自動倉庫１００はさらに、昇降台１２５に取り付けられる移載装置とを備える自動倉庫。【選択図】図１
2016155669.tif 000002
【特許請求の範囲】
【請求項１】
荷物を保管する保管部を上下方向、および、左右方向に並べて有する保管棚と、前記保管棚に沿って前記荷物を搬送する搬送装置とを備える自動倉庫であって、
前記搬送装置は、
上方、および、下方に前記保管部が存在する状態で前記保管棚の内方に配置され、前記保管棚に沿った左右方向に延在する水平案内部材と、
前記保管棚に沿った左右方向の側方に前記保管部が存在する状態で前記保管棚に沿った上下方向に延在し、前記水平案内部材を支持する支柱と、
前記水平案内部材に沿って走行する台車と、
前記保管棚に沿って上下方向に延在し、中間位置において前記台車と接続される垂直案内部材と、
前記垂直案内部材に案内されて上下方向に移動する昇降台とを備え、
当該自動倉庫はさらに、
前記昇降台に取り付けられ、前記保管棚と前記昇降台との間で荷物を移載する移載装置とを備える
自動倉庫。
【請求項２】
前記垂直案内部材は、
上下方向に延在するマストを備え、
前記台車は、
走行方向において前記マストの両側方に、前記水平案内部材に対しスライド可能に係合するガイド部材を備え、
前記移載装置は、
走行方向において前記マストの両側方にそれぞれ第一移載装置と、第二移載装置とを備える
請求項１に記載の自動倉庫。
【請求項３】
前記水平案内部材は、
前記支柱に張り渡される梁部材と、
前記梁部材の第一面部に取り付けられる第一レールと、
前記第一面部とは異なる前記梁部材の第二面部に取り付けられる第二レールとを備え、
前記ガイド部材は、前記第一レール、および、前記第二レールに係合する
請求項２に記載の自動倉庫。
【請求項４】
前記台車は、
上下方向に配置される前記保管部の間を移動し、前記水平案内部材に沿って配置される回転軸体を有するモータにより当該台車を前記水平案内部材に沿って走行させる水平駆動装置を備える
請求項１〜３のいずれか一項に記載の自動倉庫。
【請求項５】
さらに、
前記保管棚と対向して配置され、前記移載装置により荷物が移載される対面保管棚と、
前記台車の走行に伴って前記対面保管棚の下方で形態が変化しつつ前記搬送装置に電力を供給する電源ケーブルとを備える
請求項１〜４のいずれか一項に記載の自動倉庫。
【請求項６】
前記搬送装置を上下方向に複数備える
請求項１〜５のいずれか一項に記載の自動倉庫。
【発明の詳細な説明】
【技術分野】
【０００１】
本願発明は、自動的に荷物を保管棚に対して搬出入し、荷物を保管することができる自動倉庫に関する。
【背景技術】
【０００２】
従来、自動倉庫としては、保管棚と荷物を保管棚に沿って搬送することのできるスタッカクレーン等と称される搬送装置と、搬送装置に設けられ搬送装置と保管棚との間で荷物を移載できる移載装置とを備えている自動倉庫が存在している。
【０００３】
このような自動倉庫は、例えば特許文献１に記載のように、搬送装置の両側に保管棚を備えている。また、搬送装置は、二つの保管棚の間の床面を走行する台車と、台車から上方に向かって保管棚に沿って延びるマストと、マストに沿って昇降する昇降台を備えている。また、移載装置は、前記昇降台に取り付けられており、いずれの側の保管棚に対しても荷物を搬送装置との間で移載することができるものとなっている。
【０００４】
以上の自動倉庫によれば、自動的に保管棚から荷物を取り出して搬出し、搬入された荷物を自動的に保管棚に保管することができる。
【先行技術文献】
【特許文献】
【０００５】
【特許文献１】特開２０１２−７１９３２号公報
【発明の概要】
【発明が解決しようとする課題】
【０００６】
昨今では、自動倉庫も多様化が成されており、例えば小さな荷物を対象とした自動倉庫も登場している。このような自動倉庫の場合、保管棚の間や保管棚と壁との間など搬送装置が通過する領域が狭小となり、搬送装置などをメンテナンスする場合などにおいて、作業者が搬送装置の稼働領域を通過する際に足下の台車が邪魔になったり、上下に延びるマストが邪魔になるなどの課題が発生する。
【０００７】
本願発明は、上記課題に鑑みなされたものであり、小さな荷物にも対応することが可能であり、良好なメンテナンス性などを確保することのできる自動倉庫の提供を目的としている。
【課題を解決するための手段】
【０００８】
上記目的を達成するために、本願発明にかかる自動倉庫は、荷物を保管する保管部を上下方向、および、左右方向に並べて有する保管棚と、前記保管棚に沿って前記荷物を搬送する搬送装置とを備える自動倉庫であって、前記搬送装置は、上方、および、下方に前記保管部が存在する状態で前記保管棚の内方に配置され、前記保管棚に沿った左右方向に延在する水平案内部材と、前記保管棚に沿った左右方向の側方に前記保管部が存在する状態で前記保管棚に沿って上下方向に延在し、前記水平案内部材を支持する支柱と、前記水平案内部材に沿って走行する台車と、前記保管棚に沿って上下方向に延在し、中間位置において前記台車と接続される垂直案内部材と、前記垂直案内部材に案内されて上下方向に移動する昇降台とを備え、当該自動倉庫はさらに、前記昇降台に取り付けられ、前記保管棚と前記昇降台との間で荷物を移載する移載装置とを備えることを特徴とする。
【０００９】
これによれば、垂直案内部材を保管棚の近傍に配置することが可能となる。これにより、保管棚の間や保管棚と壁の間にスペースを確保することができ、自動倉庫のメンテナンスを容易にすることが可能となる。また、垂直案内部材の中間部分に水平案内部材が配置されているため、垂直案内部材が保持されている部分から端部までの距離が端部で保持されている場合よりも短くなり、昇降によって昇降台が垂直案内部材の端部に存在する場合でも垂直案内部材にかかる荷重（モーメント）を抑制することができる。従って垂直案内部材の小型化を図ることができ、この点からもメンテナンス時などにおいて作業者が通過する領域を広く確保することが可能となる。
【００１０】
また、前記垂直案内部材は、上下方向に延在するマストを備え、前記台車は、走行方向において前記マストの両側方に、前記水平案内部材に対しスライド可能に係合するガイド部材を備え、前記移載装置は、走行方向において前記マストの両側方にそれぞれ第一移載装置と、第二移載装置とを備えるものでもよい。
【００１１】
これによれば、台車の走行方向においてできる限り離れた位置で水平案内部材と台車とを係合させることができるため、台車に保持されている垂直案内部材を走行方向において安定して走行させることが可能となる。さらに、移載装置もマストに対し走行方向においてバランスよく配置されるため、垂直案内部材を安定して走行させることが可能となる。
【００１２】
また、前記水平案内部材は、前記支柱に張り渡される梁部材と、前記梁部材の第一面部に取り付けられる第一レールと、前記第一面部とは異なる前記梁部材の第二面部に取り付けられる第二レールとを備え、前記ガイド部材は、前記第一レール、および、前記第二レールに係合するものでもよい。
【００１３】
これによれば、一方のレールに垂直案内部材などの荷重を主として支持させ、他方のレールに台車の精密なガイドを担わせるなどの役割（レールとしての機能）を分担させることができる。さらに、水平案内部材に沿った軸を中心とした垂直案内部材の揺れを効果的に抑制することが可能となる。
【００１４】
また前記台車は、上下方向に配置される前記保管部の間を移動し、前記水平案内部材に沿って配置される回転軸体を有するモータにより当該台車を前記水平案内部材に沿って走行させる水平駆動装置を備えてもよい。
【００１５】
これによれば、保管棚内方の空間を水平駆動装置が移動するため、保管棚前方のデッドスペースを減少させることが可能となり、作業車の通路を広く確保することができる。
【００１６】
さらに、前記保管棚と対向して配置され、前記移載装置により荷物が移載される対面保管棚と、前記台車の走行に伴って前記対面保管棚の下方で形態が変化しつつ前記搬送装置に電力を供給する電源ケーブルとを備えてもかまわない。
【００１７】
これによれば、台車の走行に伴って形態が変化する電源ケーブルの変化領域を保管棚下方のデッドスペースに確保することになり、自動倉庫全体として荷物を高密度に保管することが可能となる。
【００１８】
また、自動倉庫は、前記搬送装置を上下方向に複数備えてもかまわない。
【００１９】
これによれば、複数の搬送装置を同時に稼働させて処理能力が高い自動倉庫を実現することが可能となる。
【発明の効果】
【００２０】
本願発明によれば、高密度で荷物を保管することができ、かつ、高いメンテナンス性を確保することが可能となる。
【図面の簡単な説明】
【００２１】
【図１】図１は、自動倉庫を示す斜視図である。
【図２】図２は、保管棚の保管部を示す斜視図である。
【図３】図３は、搬送装置の中間部を示す斜視図である。
【図４】図４は、水平案内部材の近傍を一部断面で示す側面図である。
【図５】図５は、自動倉庫の設置部分を一部切り欠いて示す側面図である。
【図６】図６は、搬送装置を上下方向に積み重ねた自動倉庫を示す側面図である。
【発明を実施するための形態】
【００２２】
次に、本願発明に係る自動倉庫の実施の形態について、図面を参照しつつ説明する。なお、以下の実施の形態は、本願発明に係る自動倉庫の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２３】
また、図面は、本願発明を示すために適宜強調や省略、比率の調整を行った模式的な図となっており、実際の形状や位置関係、比率とは異なる場合がある。
【００２４】
図１は、自動倉庫を示す斜視図である。
【００２５】
同図に示すように、自動倉庫１００は、外部から搬入された荷物２００を自動的に保管し、また、保管した荷物２００を自動的に取り出して搬出することのできる設備であり、保管棚１０１と、搬送装置１０２と、移載装置１０３とを備えている。
【００２６】
保管棚１０１は、荷物２００を保管する保管部１１１を上下方向、および、左右方向にマトリクス状に並べて有する設備である。
【００２７】
図２は、保管棚の保管部を示す斜視図である。
【００２８】
同図に示すように保管部１１１は、荷物２００を保管する保管棚１０１の部分である。ここで、保管部１１１とは、保管棚１０１において一つの荷物２００を保持する部分（領域）を示す抽象的な概念である。
【００２９】
本実施の形態の場合、荷物２００は、保管棚１０１に沿った左右方向の両方に向かってそれぞれ突出するフランジ部２０１を備えている。一方、保管棚１０１は、保管棚１０１の背部に背面部１１２が設けられており、背面部１１２から前方（図中Ｘ軸正の向き）に突出状態で背面部１１２に取り付けられる保持部材１１３（キャンチ）を一つの荷物２００に対して２本備えている。以上のように、二つの保持部材１１３、および、フランジ部２０１と保持部材１１３とが係合した状態で二つの保持部材１１３の間にぶら下がる荷物２００を含む領域が保管部１１１となる。
【００３０】
なお、保管棚１０１が水平方向に拡がる棚板を備え、荷物２００を棚板の上に載置した状態で保管する場合などは、保管部１１１の位置が水平方向においては定まらない場合もある。
【００３１】
図３は、搬送装置の中間部を示す斜視図である。
【００３２】
同図に示すように、搬送装置１０２は、保管棚１０１に沿って荷物２００を搬送する装置であって、水平案内部材１２１と、支柱１２２と、台車１２３と、垂直案内部材１２４と、昇降台１２５とを備えている。
【００３３】
水平案内部材１２１は、台車１２３が走行する軌道を形成し、台車１２３および垂直案内部材１２４、昇降台１２５などの荷重を支える部材である。水平案内部材１２１は、保管棚１０１の内方の水平面上に配置される部材であり、水平案内部材１２１の上方、および、下方には、保管部１１１が存在している。また、水平案内部材１２１は、保管棚１０１に沿った左右方向（図中Ｙ軸方向）に延在している。つまり、保管棚１０１は、保管部１１１の上下方向に連続する複数段（本実施の形態では２段）に該当する領域を水平案内部材１２１を配置する領域とし、水平案内部材１２１は、保管棚１０１の前記領域に埋め込まれた状態となっている。
【００３４】
図４は、水平案内部材の近傍を一部断面で示す側面図である。
【００３５】
同図に示すように本実施の形態の場合、水平案内部材１２１は、水平面上において保管棚１０１に沿った左右方向（図中Ｙ軸方向）に台車１２３を案内する部材であり、本実施の形態の場合は、梁部材１２６と、第一レール１４１と、第二レール１４２とを備えている。
【００３６】
梁部材１２６は、水平案内部材１２１の構造的強度を主として担う棒状の部材である。梁部材１２６の材種や形状は特に限定されるものではないが、本実施の形態の場合は、角パイプが使用されている。梁部材１２６は、間隔をおいて立設する複数の支柱１２２の間に張り渡されるように支持され、保管棚１０１に沿った左右方向（図中Ｙ軸方向）に沿って保管棚１０１の内方に配置されている。
【００３７】
第一レール１４１は、梁部材１２６の延在方向軸を含む梁部材１２６の第一面部（本実施の形態の場合上面部）に取り付けられるレールである。本実施の形態の場合、第一レール１４１は、台車１２３や垂直案内部材１２４の荷重を支えつつ、台車１２３の走行を滑らかにガイドするレールとなっている。第一レール１４１としては、例えばリニアガイドを構成するリニアレールを挙示することができる。
【００３８】
第二レール１４２は、梁部材１２６の延在方向軸を含み、第一面部と交差する梁部材１２６の第二面部（本実施の形態の場合、搬送装置側面部）に取り付けられるレールである。本実施の形態の場合、第二レール１４２は、垂直案内部材１２４の走行方向軸を回転中心とする揺れを抑制するためのレールとなっている。第二レール１４２としては、例えばシャフト付きのベアリングであるカムフォロアが当接状態で転がすことができる板状のレールを挙示することができる。
【００３９】
このように、梁部材１２６の延在方向軸を含む互いに交差する面部にそれぞれレールを設けることで、それぞれに異なる機能を発揮させることができる。
【００４０】
本実施の形態の場合、梁部材１２６にはさらに、台車１２３が走行する駆動力を発生させるための駆動レール１４３が設けられている。駆動レール１４３は例えば、ラックであり、台車１２３が備えるピニオンと係合することで駆動力を発生させることができる。なお、通常のラックとピニオンでは動作音が大きく、また、バックラッシュが存在する。従って、ピニオンをローラーピンを円周上に等間隔に配置したものとし、これに対応するラックを用いてバックラッシュレス機構を採用してもよい。また、駆動レール１４３は、リニアモータのように電磁コイルを備えているものでもよい。
【００４１】
支柱１２２は、取付基礎３０１（図５参照）に立設され、梁部材１２６を支持する部材であり、保管棚１０１に沿った左右方向の側方に保管部１１１が存在する状態で保管棚１０１に沿った上下方向に延在する部材である。保管棚１０１は、水平案内部材１２１と同様に、保管棚１０１の保管部１１１に該当する領域を保管部１１１とせず、支柱１２２を配置する領域としており、支柱１２２は、前記領域に配置され保管棚１０１に埋め込まれた状態となっている。
【００４２】
本実施の形態の場合、支柱１２２は、一つの水平案内部材１２１に対して２本設けられているが、複数本であってもかまわない。
【００４３】
また、支柱１２２と保管棚１０１、および、水平案内部材１２１と保管棚１０１とは、取付基礎３０１を介する接続以外は機械的な接続はなされていない。つまり、搬送装置１０２と保管棚１０１とは取付基礎３０１に独立して設置されている。これにより搬送装置１０２の振動が保管棚１０１に伝わりにくくなり、保管棚１０１に保管中の荷物２００のずれなどの発生を抑制することが可能となる。
【００４４】
台車１２３は、水平案内部材１２１に沿って走行し、取り付けられた垂直案内部材１２４を水平案内部材１２１に沿って移動させる装置である。本実施の形態の場合、台車１２３は、走行方向（図中Ｙ軸方向）における両端部に、水平案内部材１２１に対しスライド可能に係合するガイド部材１２７をそれぞれ備えている。また、台車１２３は、二つのガイド部材１２７の中央位置に垂直案内部材１２４が取り付けられている。これにより、垂直案内部材１２４が走行方向に向かう倒れを抑制することが可能となっている。
【００４５】
さらに、ガイド部材１２７は、第一レール１４１にスライド可能に係合する第一ガイド１５１、および、第二レール１４２にスライド可能に係合する第二ガイド１５２を備えている。本実施の形態の場合、第一ガイド１５１は、リニアレールにスライド可能に係合するリニアガイドである。第二ガイド１５２は、平板状の第二レール１４２を上下方向で挟持するように配置された二つのカムフォロアで構成されている。
【００４６】
また、台車１２３は、上下方向に配置される保管部１１１の間を移動し、台車１２３を水平案内部材１２１に沿って走行させる水平駆動装置１２０を備える。水平駆動装置１２０は、梁部材１２６に取り付けられた駆動レール１４３と係り合うことで走行方向の力を発生させる駆動体１５３を備えている。本実施の形態の場合、駆動体１５３は、駆動レール１４３であるラックに回転しながら係合して走行方向に移動するピニオンである。
【００４７】
なお、駆動レール１４３がリニアモーターを構成する電磁石のアレイである場合、駆動体１５３は、磁性体の部材となる。
【００４８】
また、水平駆動装置１２０は、台車１２３の走行方向に沿って配置される回転軸体（図示せず）を有するモータ１３０を備えている。このようにモータ１３０を配置することで、小型の保管棚１０１であっても水平駆動装置１２０の全体を保管棚１０１の内方に収容した状態で台車１２３を走行させることが可能となる。
【００４９】
垂直案内部材１２４は、上下方向に昇降する昇降台１２５を案内する長尺の部材であり、保管棚１０１に沿って上下方向に延在し、上下方向の中間位置において台車１２３に固定される部材である。また、垂直案内部材１２４は、昇降台１２５が通過する領域において、中央位置よりも保管棚１０１の近くに配置されている。
【００５０】
本実施の形態の場合、垂直案内部材１２４は、中空角形で上下方向に延在するマスト１２８を１本備えている。マスト１２８は、保管棚１０１の近傍に配置されており、マスト１２８の中空部分には昇降台１２５に接続され昇降する駆動力を伝達するチェーンやワイヤなどの伝達部材（図示せず）が挿通され、これらを案内するプーリー（図示せず）などが取り付けられている。
【００５１】
また、マスト１２８の下端部であって、保管棚１０１の最下段の保管部１１１よりも下、かつ、保管棚１０１の側方の位置には、昇降台１２５をマスト１２８に沿って昇降させる垂直駆動装置１２９（図１、図５参照）が取り付けられている。垂直駆動装置１２９は、前記伝達部材と接続され駆動力を昇降台に伝えるものとなっている。
【００５２】
昇降台１２５は、垂直案内部材１２４、特にマスト１２８に案内されて上下方向に移動する部材であり、移載装置１０３が取り付けられる部材である。本実施の形態の場合、台車１２３の走行方向において昇降台１２５はマスト１２８の両側に張り出すような構成となっている。なお、マスト１２８が保管棚１０１の近傍に配置されているため、昇降台１２５は、荷物２００の移載方向（図中Ｘ軸方向）においては、マスト１２８片側（本実施の形態の場合、保管棚１０１の反対側）に比較的長く張り出すような構成となっている。
【００５３】
移載装置１０３は、昇降台１２５に取り付けられ、保管棚１０１に向かってアーム（図示せず）を出退させることで保管棚１０１と昇降台１２５との間で荷物２００を移載する装置である。移載装置１０３の移載方法については特に限定されるものではないが、例えば、アームを用いて荷物２００を押したり引いたりすることで、保管棚１０１と昇降台１２５との間を滑らせて移載するものや、アームに取り付けられたフォークを用いて荷物２００を持ち上げで移動させ、荷物２００を降ろすことで載置させて移載するもの等を例示することができる。
【００５４】
本実施の形態の場合、移載装置１０３は、台車１２３の走行方向においてマスト１２８の両側方に張り出した昇降台１２５に、マスト１２８を走行方向に挟んだ状態でそれぞれの側に取り付けられる第一移載装置１３１と、第二移載装置１３２とを備えている。
【００５５】
これにより、一度に二つの荷物２００を搬送することができ、さらに、マスト１２８の可動領域よりも広い範囲で荷物２００の移載をすることが可能となる。
【００５６】
また、マスト１２８に対するバランスがよくなり、マスト１２８を移動させた際の移動方向に対するマスト１２８の揺れを軽減させることが可能となる。
【００５７】
また、本実施の形態の場合、走行方向において１本のマスト１２８の両側にそれぞれ第一移載装置１３１と第二移載装置１３２とを配置した構成であるため、台車１２３は、走行方向において長いものが好ましい。これによれば、できる限り離れた位置、かつ、マスト１２８に対して対称な状態で水平案内部材１２１とガイド部材１２７を係合させることができ、垂直案内部材１２４を揺らすことなく安定して走行させることが可能となる。一方、台車１２３が長すぎるとマスト１２８の可動領域を狭くすることになる。
【００５８】
以上から、台車１２３の長さは、昇降台１２５および第一移載装置１３１、第二移載装置１３２で構成される構造部材の台車１２３の走行方向における一端縁から他端縁までの長さと同等、または、それ以下であることが好ましい。
【００５９】
図５は、自動倉庫の設置部分を一部切り欠いて示す側面図である。
【００６０】
同図に示すように、自動倉庫１００は、保管棚１０１と対向して配置される対面保管棚１０９を備えている。対面保管棚１０９は、保管棚１０１と同様に搬送装置１０２に備えられる移載装置１０３により荷物２００が移載される棚であり、水平案内部材１２１や支柱１２２が配置されないため、保管棚１０９よりも多くの荷物２００が保管できるものとなっている。
【００６１】
搬送装置１０２は、台車１２３の走行に伴って対面保管棚１０９の下方において形態が変化しつつ搬送装置１０２に電力を供給する電源ケーブル１９１を備えている。
【００６２】
本実施の形態の場合、自動倉庫１００は、建屋などの基礎部３００から所定の高さだけ離れた位置に設けられた取付基礎３０１に設置されている。一方、自動倉庫１００のマスト１２８は、取付基礎３０１の下方にまで延び、昇降台１２５を昇降させるための垂直駆動装置１２９は、搬送装置１０２の下方であって取付基礎３０１よりも下に配置されている。また、対面保管棚１０９の下方であって取付基礎３０１よりも下に配置されている電源ケーブル１９１は、マスト１２８の移動に伴って形態が変化するため、当該形態の変化に伴う電源ケーブル１９１の損傷を抑制するため、ケーブル保護チェーン１９２に保持された状態となっている。
【００６３】
以上の自動倉庫１００によれば、保管棚１０１の保管部１１１の複数段（本実施の形態では２段）に該当する領域を水平案内部材１２１を配置する領域にすることにより、マスト１２８を保管棚１０１側に寄せることが可能となる。従って、保管棚１０１と対面保管棚１０９との間であってもマスト１２８を越えて人が通ることが可能となる。従って、自動倉庫１００を容易にメンテナンスすることが可能となる。
【００６４】
また、水平案内部材１２１に沿って走行する台車１２３は、マスト１２８の中央、又はその近傍でマスト１２８を保持しているため、マスト１２８の構造的強度は保持部分から端部までの長さの強度程度を確保すればよい。すなわち、マスト１２８の端部を保持するよりも構造的強度を弱く設定することができる。従って、マスト１２８を比較的細く、又は、薄くすることができ、マスト１２８が保管棚１０１と対面保管棚１０９との間の空間に占める割合を低くすることができる。この点においても、メンテナンス時に人がマスト１２８を越えて容易に通行することが可能となる。
【００６５】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００６６】
例えば、図６に示すように、自動倉庫１００は、搬送装置１０２を上下方向に複数段備えるものでもかまわない。これによれば、複数の搬送装置１０２により多くの荷物２００を同時に搬送することができるため、高い処理能力を実現することが可能となる。この場合、保管棚１０１や、対面保管棚１０９は、一つの大きな棚であってもかまわない。
【００６７】
また、水平案内部材１２１は、支柱１２２の上端面に載置された状態で支持されるばかりでなく、水平案内部材１２１は、支柱１２２の側面に締結や溶接などによって固定されるものでもかまわない。
【００６８】
また、ガイド部材１２７は、台車１２３の走行方向において台車１２３の長さと同等のものでもかまわない。この場合、台車１２３は、ガイド部材１２７を一つ備えることになるが、走行方向においてマスト１２８の両側方に水平案内部材１２１に対しスライド可能に係合する状態を創出することができる。
【産業上の利用可能性】
【００６９】
本願発明は、多くの荷物を保管、管理、搬出入などを自動で行う倉庫に利用することができる。
【符号の説明】
【００７０】
１００  自動倉庫
１０１  保管棚
１０２  搬送装置
１０３  移載装置
１０９  対面保管棚
１１１  保管部
１１２  背面部
１１３  保持部材
１２０  水平駆動装置
１２１  水平案内部材
１２２  支柱
１２３  台車
１２４  垂直案内部材
１２５  昇降台
１２６  梁部材
１２７  ガイド部材
１２８  マスト
１２９  垂直駆動装置
１３０  モータ
１３１  第一移載装置
１３２  第二移載装置
１４１  第一レール
１４２  第二レール
１４３  駆動レール
１５１  第一ガイド
１５２  第二ガイド
１５３  駆動体
１９１  電源ケーブル
１９２  ケーブル保護チェーン
２００  荷物
２０１  フランジ部
３００  基礎部
３０１  取付基礎
【図１】
2016155669.tif 000003
【図２】
2016155669.tif 000004
【図３】
2016155669.tif 000005
【図４】
2016155669.tif 000006
【図５】
2016155669.tif 000007
【図６】
2016155669.tif 000008